(57)【要約】【課題】本考案は、定常的には、卓球競技用フェンスとして用いるように形成されている衝立状の骨格部分に被せるカバーとして機能し、自然災害発生時等には、防寒用具として機能するという経済性に優れた多様な用途を併有する多目的カバーを提供する。【解決手段】本考案の多目的カバーは、二つ折り重ね合わせ形態と、展開形態とに変更可能に構成した四角形状又はほぼ四角形状の断熱性・保温性を有するシート状のカバー本体２と、二つ折り重ね合わせ形態におけるカバー本体２の両側辺部２ａ、２ｂを閉塞し、上・下辺部２ｃのうちのいずれかの一辺部側のみを開口状態とする一対の線ファスナー５と、を有し、形態の変更に応じて、卓球競技用フェンスとして用いるように形成されている衝立状の骨格部分に被せる卓球フェンスカバー機能、寝袋等の身体用防寒用具としての機能、更には、防寒用敷物シートとしての機能を発揮させる構成としたものである。【選択図】図１
0003202919.tif 000002
【実用新案登録請求の範囲】
【請求項１】
二つ折り重ね合わせ形態で、四角形状又はほぼ四角形状の断熱性・保温性を有するとともに、両側辺部を閉塞し、かつ、上・下辺部のうちのいずれかの一辺部側を閉塞し、上・下辺部のうちのいずれかの一辺部側のみを開口状態として袋状としたシート状のカバー本体として構成し、
形態の変更に応じて物品のカバー機能及び身体に対する複数種の防寒機能を発揮し得る構成としたことを特徴とする多目的カバー。
【請求項２】
二つ折り重ね合わせ形態と、展開形態とに変更可能に構成した四角形状又はほぼ四角形状の断熱性・保温性を有するシート状のカバー本体と、
二つ折り重ね合わせ形態におけるカバー本体の両側辺部を閉塞し、上・下辺部のうちのいずれかの一辺部側のみを開口状態とする一対のファスナーと、
を有し、
形態の変更に応じて物品のカバー機能及び身体に対する複数種の防寒機能を発揮し得る構成としたことを特徴とする多目的カバー。
【請求項３】
カバー本体を、二つ折り重ね合わせ形態で、両側辺部及び上・下辺部のうちのいずれかの一辺部側を閉鎖し、上・下辺部のうちのいずれかの一辺部側のみを開口状態とするように構成したとともに、
前記両側辺部及び前記上・下辺部のうちの閉鎖されている一辺部の３辺に連続可能なようなファスナーを配置し、前記カバー本体を夫々２枚に分離して一枚ずつ個別使用できるように構成し、
前記カバー本体を、二つ折り重ね状態、展開状態、並びに、２枚に分離して個別使用できるようにし、
形態の変更に応じて物品のカバー機能及び身体に対する複数種の防寒機能を発揮し得る構成としたことを特徴とする多目的カバー。
【請求項４】
前記シート状のカバー本体は、合成樹脂製シートと、断熱性・保温性シートとの重合構造であることを特徴とする請求項１乃至３のいずれか１項に記載の多目的カバー。
【請求項５】
前記シート状のカバー本体は、断熱性・保温性シートのみからなることを特徴とする請求項１乃至３のいずれか１項に記載の多目的カバー。
【請求項６】
前記ファスナーは、線ファスナー又は細幅の面ファスナーであることを特徴とする請求項２又は３記載の多目的カバー。
【請求項７】
前記カバー本体は、卓球競技用フェンスとして用いるように形成されている衝立状の骨格部分に被せて卓球競技用フェンス機能、及び身体に対する複数種の防寒機能を発揮できるようにしたものであることを特徴とする請求項１乃至６のいずれか１項に記載の多目的カバー。
【請求項８】
前記カバー本体を、二つ折り重ね状態、展開状態、並びに、前記カバー本体を２枚に分離して個別使用できるようにし、二つ折り重ね形態又は展開形態或いは二つを切り離した形態とし、防寒用敷物シート、及び身体に対する複数種の防寒機能をできるようにしたものであることを特徴とする請求項２乃至６のいずれか１項に記載の多目的カバー。
【考案の詳細な説明】
【技術分野】
【０００１】
本考案は、多目的カバーに関し、詳しくは、例えば卓球競技用フェンスとして用いるように形成されている衝立状の骨格部分に簡単に被せて卓球競技用フェンスとしての機能とともに、防寒用具・敷物等としての機能を併有する多目的カバーに関するものである。
【背景技術】
【０００２】
例えば、体育館内で行われる卓球競技会や卓球練習の際には、卓球台の周りに主に卓球ボールの飛散を防ぐために卓球競技用フェンスを複数台列設配置することが通常である。
【０００３】
このような卓球競技用フェンスは、東日本大震災のような自然災害時においては、例えば体育館等が避難所になった際には、避難者の居場所を区切る目的等で使用する場合もある。
【０００４】
このような場合、寒冷期における自然災害発生時等においては、その直後からインフラ遮断による避難者の防寒対策や固い床面に直接座った際に、身体が痛くなるなどに対するケアが極めて重要となる。
【０００５】
しかし、従来の卓球競技用フェンスは、専ら卓球ボールの飛散防止のみを目的としたものであり、例えば防寒用・クッション性を持たせた敷物シート等の用途には不向きである。
【０００６】
一方、自然災害発生時において床面に敷く防寒用の敷物シートも従来から存在しているが、このような敷物シートは、通常は倉庫内に保管されて自然災害発生時にしか使用されないため、倉庫面積を占有し、災害予算も別途必要という事例が多々発生している。
【０００７】
特許文献１には、四角形状に枠組みし、支持脚により起立可能とした卓球用の固定フェンスに対して、袋状カバーを被せた卓球フェンスが開示されている（特許文献１、図５）。
しかし、この袋状カバーも、既述した場合と同様、専ら卓球ボールの飛散防止のみを目的としたものであり、例えば防寒用の敷物シート等の機能を有するものではない。
【先行技術文献】
【特許文献】
【０００８】
【特許文献１】特開２０００−１１６８４０号公報
【考案の概要】
【考案が解決しようとする課題】
【０００９】
本考案は、上記従来技術に鑑みて開発されたものであり、定常的には通常の卓球競技用フェンスとして機能し、自然災害発生時等には防寒・クッション性を持たせた敷物として機能するという経済性に優れた多様な用途を併有する多目的カバーを提供しようとするものである。
【課題を解決するための手段】
【００１０】
本考案に係る多目的カバーは、二つ折り重ね合わせ形態と、展開形態とに変更可能に構成した四角形状又はほぼ四角形状の断熱性・保温性を有するシート状のカバー本体と、二つ折り重ね合わせ形態におけるカバー本体の両側辺部を閉塞し、上・下辺部のうちのいずれかの一辺部側のみを開口状態とする一対のファスナーと、を有し、形態の変更に応じて物品のカバー機能及び身体に対する複数種の防寒機能を発揮し得る構成としたことを最も主要な特徴とする。
【考案の効果】
【００１１】
請求項１記載の考案によれば、定常的には卓球競技用フェンスとして用いるように形成されている衝立状の骨格部分に簡単に被せて卓球競技用フェンスとして機能させ、また、自然災害発生時等の異常事態発生時には寝袋や防寒用敷物等のような身体に対する複数種の防寒機能を発揮させることができる経済性に優れて有用な多目的カバーを実現し提供することができる。
請求項２記載の考案によれば、二つ折り重ね合わせ形態と、展開形態との二種類にわたる形態の変更に応じて、定常的には卓球競技用フェンスとして用いるように形成されている衝立状の骨格部分に簡単に被せて卓球競技用フェンスとして機能させ、また、自然災害発生時等の異常事態発生時には寝袋や防寒用敷物等のような身体に対する複数種の防寒機能を発揮させることができる経済性に優れて有用な多目的カバーを実現し提供することができる。
請求項３記載の考案によれば、請求項１、２と同様の効果に加えて、前記カバー本体を二つ折り重ね状態、展開状態、並びに、２枚に分離して個別使用できる経済性に優れて有用な多目的カバーを実現し提供することができる。
【００１２】
請求項４記載の考案によれば、前記シート状のカバー本体を合成樹脂製シートと、断熱性・保温性シートとの重合構造として、請求項１乃至３のいずれか１項に記載の考案と同様な効果を奏する多目的カバーを実現し提供することができる。
【００１３】
請求項５記載の考案によれば、前記シート状のカバー本体を断熱性・保温性シートのみからなる構造として、請求項１乃至３のいずれか１項に記載の考案と同様な効果を奏する多目的カバーを実現し提供することができる。
【００１４】
請求項６記載の考案によれば、前記ファスナーを、線ファスナー又は細幅の面ファスナー構造として、請求項２又は３記載の考案と同様な効果を奏する多目的カバーを実現し提供することができる。
【００１５】
請求項７記載の考案によれば、カバー本体を二つ折り重ね合わせ形態とし、かつ、両側辺部と、上・下辺部のうちのいずれかの一辺部側とを前記ファスナーにより閉塞して、例えば卓球競技用フェンスとして用いるように形成されている衝立状の骨格部分に被せて卓球競技用フェンスとして使用することができ、又は寝袋、着袋、足入れ防寒具として実用に供することができる請求項１乃至６のいずれか１項に記載の考案と同様な効果を奏する多目的カバーを実現し提供することができる。
【００１６】
請求項８記載の考案によれば、前記カバー本体を、二つ折り重ね状態、展開状態、並びに、前記カバー本体を２枚に分離して個別使用できるようにし、二つ折り重ね形態又は展開形態或いは二つを切り離した形態として実用に供することができる請求項２乃至６のいずれか１項に記載の考案と同様な効果を奏する多目的カバーを実現し提供することができる。
【図面の簡単な説明】
【００１７】
【図１】図１は本考案の実施例に係る多目的カバーの展開形態の概略平面図である。
【図２】図２は本実施例に係る多目的カバーの部分断面図である。
【図３】図３は本実施例に係る多目的カバーの二つ折り重ね合わせ形態とし、線ファスナーにより側辺部を閉塞した状態を示す概略底面図である。
【図４】図４は本実施例に係る多目的カバーの二つ折り重ね合わせ形態とした場合の使用状態の一例を示す概略斜視図である。
【図５】図５は本実施例に係る多目的カバーの二つ折り重ね合わせ形態とした場合の使用状態（寝袋形態）を示す概略斜視図である。
【図６】図６は本実施例に係る多目的カバーの二つ折り重ね合わせ形態とした場合の使用状態（卓球競技用フェンス）を示す概略斜視図である。
【図７】図７は本実施例に係る多目的カバーにおけるカバー本体の他例を示す概略斜視図である。
【図８】図８（ａ）は本実施例に係る多目的カバーにおけるカバー本体の更なる他例を示す概略斜視図であり２枚の各カバー本体を連結した状態を示すものである。図８（ｂ）は本実施例に係る多目的カバーにおけるカバー本体の更なる他例を示す一部を省略した概略斜視図であり２枚の各カバー本体を分離した状態を示すものである。
【考案を実施するための形態】
【００１８】
本考案は、定常的には卓球競技用フェンスとして用いるように形成されている衝立状の骨格部分に簡単に被せて卓球競技用フェンスとして機能し、例えば自然災害発生時等の異常事態発生時には防寒用具・敷物等として機能するという経済性に優れた多様な用途を併有する多目的カバーを提供するという目的を、二つ折り重ね合わせ形態と、展開形態とに変更可能に構成した四角形状又はほぼ四角形状の断熱性・保温性を有するシート状のカバー本体と、二つ折り重ね合わせ形態におけるカバー本体の両側辺部を閉塞し、上・下辺部のうちのいずれかの一辺部側のみを開口状態とする一対のファスナーと、を有し、形態の変更に応じて、卓球フェンスに被せる卓球フェンスカバー機能、寝袋等の身体用防寒用具としての機能、更には防寒用敷物シートとしての機能を発揮させる構成により実現した。
【実施例】
【００１９】
以下、本考案の実施例に係る多目的カバーについて図面を参照して詳細に説明する。
【００２０】
本実施例に係る多目的カバー１は、図１乃至図３に示すように、平面視四角形状又はほぼ四角形状のカバー本体２を具備し、このカバー本体２を断熱性・保温性を有するシート状に形成するとともに、中央部１３からの二つ折り重ね合わせ形態と、展開形態とに変更可能に構成したものである。
【００２１】
前記カバー本体２は、二つ折りで折り重ねるとき外側となる合成樹脂製シート３と、この合成樹脂製シート３の内面側に添着状態となるように例えば縫製等で固着した断熱性・保温性シート４との重合構造としている。
この実施例では、前記合成樹脂製シート３は、例えば強化繊維入りＰＶＣターポリン製のシートとしている。
【００２２】
前記断熱性・保温性シート４は、例えばフリース素材、ウエットスーツ素材、その他の繊維材等から形成した防寒性・クッション性を有したシートの中から選定したシートである。
【００２３】
本実施例に係る多目的カバー１は、更に、二つ折り重ね合わせ形態におけるカバー本体２における両側辺部２ａ、２ｂを閉塞し、上・下辺部２ｃのうちのいずれかの一辺部側のみを開口状態とする一対のファスナーである公知の一対の線ファスナー５、５を具備している。
【００２４】
前記側辺部２ａ側の線ファスナー５は、図１に概略的に示すように、カバー本体２における中央部１３において、側辺部２ａから少し内方に入った位置に線ファスナー５を構成するスライダー６を配置し、各々エレメントを列設けた一対のテープ７、７を前記スライダー６の位置から分岐配置に前記側辺部２ａの両側隅部の領域に至るように前記合成樹脂製シート３に縫製等の手段で取り付けるとともに、前記断熱性・保温性シート４の側辺部２ａ側の端辺部で覆われ、前記スライダー６がスライド可能な状態で配置され、前記スライダー６の閉操作により二つ折りで折り重ねたカバー本体２の側辺部２ａを閉塞するように構成している。なお、図１にはスライダー６が中央部１３において露出する態様で示している。
前記側辺部２ｂ側の線ファスナー５も、上述した場合と同様に構成している。
【００２５】
前記線ファスナー５に替えて図示しないが細幅の面ファスナーを用いる構成とすることもしてもよい。
【００２６】
次に、図４乃至図６を参照して本実施例に係る多目的カバー１の各種の使用形態について説明する。
【００２７】
図４は、前記多目的カバー１のカバー本体２を二つ折り重ね合わせ形態とし、例えば寒冷期における自然災害発生時等において、避難者Ｍの防寒用具である敷物として使用する形態を示すものである。
【００２８】
この場合、二つ折りで折り重ねたカバー本体２の側辺部２ａ、２ｂは、各々線ファスナー５により閉塞する場合の他、単に前記カバー本体２を二つ折り重ね合わせ形態とし線ファスナー５により閉塞しない状態でも防寒用具である敷物として機能させることができる。
【００２９】
また、避難者Ｍが多数人存在する場合には、カバー本体２を二つ折りにしないで図１に示す展開状態のままこれら多数人の避難者Ｍが座ったり寝たりする防寒用具として機能させることができる。
なお、図示する実施例ではファスナー部分を具備した例を示しているが、本考案においては、前記カバー本体２を展開状態としないで使用する状態もあり得ることから、必ずしも当該ファスナー部分を必要とするものではない。
すなわち、二つ折り重ね合わせ形態で、四角形状又はほぼ四角形状の断熱性・保温性を有するとともに、両側辺部を閉塞し、かつ、上・下辺部２ｃのうちのいずれかの一辺部側を閉塞し、上・下辺部２ｃのうちのいずれかの一辺部側のみを開口状態として袋状としたシート状のカバー本体２として構成しても良い。
【００３０】
図５は、前記多目的カバー１のカバー本体２を例えば長さ２００ｃｍ、二つ折りの幅寸法１００ｃｍを有するように形成し、このカバー本体２を例えば寝袋形態として避難者Ｍの終身用又は休息用の防寒用具として使用する形態を示すものである。
【００３１】
この場合には、二つ折りで折り重ねたカバー本体２の側辺部２ａ、２ｂを前記線ファスナー５により各々閉塞するか、片側の側辺部２ａのみを前記線ファスナー５により閉塞するか、更には、単に二つ折りで折り重ねたままとするかは、避難者Ｍが任意に選定し得ることは言うまでもない。
更に、前記線ファスナー５は、図１において側辺部２ａ、側辺部２ｂに夫々独立して配置されているが、図８の他例で示すように、図中に中央部１３と示す位置を含め、側辺部２ａ、側辺部２ｂ、中央部１３の３辺に連続してなる線ファスナー５を配置することにより、自然災害発生時等においてカバー本体２Ａを夫々分離して一枚ずつ個別に使用できるように構成しても良い。
なお、図８（ａ）は本実施例に係る多目的カバーにおけるカバー本体の更なる他例を示す概略斜視図であり２枚の各カバー本体２を連結した状態を示すものである。図８（ｂ）は２枚の各カバー本体２を分離した状態を示すものである。
図８の実施例の場合、自然災害発生時等において例えばプライバシーの問題等から、相互に面識、認識の無い避難者と近接して利用することを倦厭する避難者に対し、カバー本体２Ａを夫々分離して分離した夫々の一枚を各避難者１名分として有効に利用することができる。
なお、図８の実施例の場合において、図示するように、線ファスナー５を用いて構成する場合は、スライダー６を２個具備するように構成すると、カバー本体２Ａを前記展開状態として利用することも勿論可能である。
【００３２】
図６は、前記多目的カバー１を、例えば体育館に設置され卓球競技等の際に卓球台周辺の仕切りとして定常的に使用される卓球競技用フェンス１１として使用する形態を示すものである。
【００３３】
この場合には、前記カバー本体２を二つ折り重ね合わせ形態とし、かつ、両側辺部２ａ、２ｂを前記線ファスナー５により各々閉塞して、卓球競技用フェンス１１として用いるように形成されている衝立状の骨格部分１２に簡単に被せて、卓球競技の際における卓球の飛散防止機能を発揮させるものである。
【００３４】
以上説明した本実施例に係る多目的カバー１によれば、例えば多数の卓球台を備えた体育館等の施設において、卓球競技の際に卓球台周辺に配置する卓球競技用フェンス１１として使用することができ。
【００３５】
また、例えば、寒冷期における自然災害発生時等における避難者Ｍの例えば訪寒対策として、前記多目的カバー１を、展開形態又は二つ折り重ね合わせ形態として体育館等の床面に敷くことにより、当該避難者Ｍの防寒具として有効活用することができる。
【００３６】
これにより、当該体育館等の施設においては、防寒専用の防寒シート等を倉庫内に保管し管理しておく必要はなくなり、大きな経済効果を発揮させることが可能となる。
【００３７】
前記多目的カバー１の防寒具としての機能について更に付言すると、この多目的カバー１を敷物として利用する場合には、避難者Ｍ等にとって床面からの寒さを防ぐばかりでなく、長時間体育館の床などに座る際におきる疲労（痛さ）の軽減を図れるという利点がある。
【００３８】
また、カバー本体の両側辺部２ａ、２ｂに設けた線ファスナー５の開閉によって、カバー本体２を二つ折りに重ね合わせた形態としたり、多くの避難者Ｍが存在する場合の使用態様である展開状態とする切替操作が簡略容易であり、操作性の点でも優れた機能を発揮するものである。
【００３９】
更に、前記多目的カバー１は、既述した寝袋態様で使用する場合の他、着袋態様や、使用者の足だけを二つ折り重ね合わせ形態のカバー本体２内に入れて暖をとる足入防寒具として利用することが可能である。
【００４０】
図７は、本実施例に係る多目的カバー１を構成するカバー本体２の他例であるカバー本体２Ａを概略的に示すものである。
【００４１】
このカバー本体２Ａは、線ファスナー５を備える点で前記カバー本体２と基本的構成はほぼ同様であるが、前記カバー本体２と異なり、前記合成樹脂製シート３を用いず既述したような断熱性・保温性シート４のみの単一素材シートにより形成したことが特徴である。なお、断熱性・保温性シート４の詳細形態は図示省略する。
【００４２】
このようなカバー本体２Ａを採用した多目的カバー１によっても、既述した多目的カバー１の場合と同様な効果を発揮させることができる。
【産業上の利用可能性】
【００４３】
本考案の多目的カバーは、例えば日常的な使用態様として薄型テレビジョンや薄型暖房器具（パネル型ヒーター）等のような薄型物品のカバー用具としても応用可能である。
【符号の説明】
【００４４】
１    多目的カバー
２    カバー本体
２Ａ  カバー本体
２ａ  側辺部
２ｂ  側辺部
２ｃ  上・下辺部
３    合成樹脂製シート
４    断熱性・保温性シート
５    線ファスナー
６    スライダー
７    テープ
１１    卓球競技用フェンス
１２    卓球競技用フェンスの衝立状の骨格部分
１３    中央部
Ｍ    避難者
【図１】
0003202919.tif 000003
【図２】
0003202919.tif 000004
【図３】
0003202919.tif 000005
【図４】
0003202919.tif 000006
【図５】
0003202919.tif 000007
【図６】
0003202919.tif 000008
【図７】
0003202919.tif 000009
【図８】
0003202919.tif 000010
【手続補正書】
【提出日】平成27年12月21日(2015.12.21)
【手続補正１】
【補正対象書類名】明細書
【補正対象項目名】００１６
【補正方法】削除
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
二つ折り重ね合わせ形態で、四角形状又はほぼ四角形状の断熱性・保温性を有するとともに、両側辺部を閉塞し、かつ、上・下辺部のうちのいずれかの一辺部側を閉塞し、上・下辺部のうちのいずれかの一辺部側のみを開口状態として袋状としたシート状のカバー本体として構成し、
物品のカバー機能及び身体に対する防寒機能を発揮し得る構成としたことを特徴とする多目的カバー。
【請求項２】
二つ折り重ね合わせ形態と、展開形態とに変更可能に構成した四角形状又はほぼ四角形状の断熱性・保温性を有するシート状のカバー本体と、
二つ折り重ね合わせ形態におけるカバー本体の両側辺部を閉塞し、上・下辺部のうちのいずれかの一辺部側のみを開口状態とする一対のファスナーと、
を有し、
物品のカバー機能及び身体に対する防寒機能を発揮し得る構成としたことを特徴とする多目的カバー。
【請求項３】
カバー本体を、二つ折り重ね合わせ形態で、両側辺部及び上・下辺部のうちのいずれかの一辺部側を閉鎖し、上・下辺部のうちのいずれかの一辺部側のみを開口状態とするように構成したとともに、
前記両側辺部及び前記上・下辺部のうちの閉鎖されている一辺部の３辺に連続可能なようなファスナーを配置し、前記カバー本体を夫々２枚に分離して一枚ずつ個別使用できるように構成し、
前記カバー本体を、二つ折り重ね状態、展開状態、並びに、２枚に分離して個別使用できるようにし、
物品のカバー機能及び身体に対する防寒機能を発揮し得る構成としたことを特徴とする多目的カバー。
【請求項４】
前記シート状のカバー本体は、合成樹脂製シートと、断熱性・保温性シートとの重合構造であることを特徴とする請求項１乃至３のいずれか１項に記載の多目的カバー。
【請求項５】
前記シート状のカバー本体は、断熱性・保温性シートのみからなることを特徴とする請求項１乃至３のいずれか１項に記載の多目的カバー。
【請求項６】
前記ファスナーは、線ファスナー又は細幅の面ファスナーであることを特徴とする請求項２又は３記載の多目的カバー。
【請求項７】
前記カバー本体は、卓球競技用フェンスとして用いるように形成されている衝立状の骨格部分に被せて卓球競技用フェンス機能、及び身体に対する防寒機能を発揮できるようにしたものであることを特徴とする請求項１乃至６のいずれか１項に記載の多目的カバー。